(57)【要約】      （修正有）【課題】伝統的な型・外観に配慮しつつ、収納スペースの改善および使用の便益が図られた仏壇を提供する。【解決手段】前面が３枚のまくり戸を有する外観を呈した仏壇の台において、２枚のまくり戸を一体的に開閉自在となして大まくり戸として、大まくり戸の後方の内部空間を一体化し、この一体化された内部空間の幅に対応した寸法に設定された引出し体３３を設け、引出し体３３には、前方に略板状の膳引き部３８と、後方に物入れ箱３９とを備え、引出し体３３が、前記膳引き部にお鈴、鈴台、ロウソク立て、香炉を載置し、これらを使用状態に保ったまま引き出し可能な寸法に設定する。【選択図】図５
0003159919.tif 000002
【実用新案登録請求の範囲】
【請求項１】
大まくり戸および小まくり戸により前面が構成される台を備え、
前記大まくり戸の前面が２枚のまくり戸の外観を呈し、
前記台の内部における前記大まくり戸の後方には、該大まくり戸の幅に対応した寸法に設定された引出し体を設け、
該引出し体には、前方に略板状の膳引き部と、後方に物入れ箱とを備え、
前記引出し体が、前記膳引き部にお鈴、鈴台、ロウソク立て、香炉を載置し、これらを使用状態に保ったまま引き出し可能な寸法に設定されたことを特徴とする仏壇。
【考案の詳細な説明】
【技術分野】
【０００１】
本考案は、仏壇、特に名古屋型や三河型に見られる四段重ねの構造を持つ仏壇またはこれに類似する台付き仏壇における台の構造に関するものである。
【背景技術】
【０００２】
従来の仏壇の様式、特に伝統的な型を重んじる地域性の強い仏壇の様式は一定の形が守られてきた。これら伝統的な仏壇の様式は、現代の事情にそぐわないものとなった部分も存在する。地域型の仏壇ほど伝統を重んじるあまり多少不便であっても、これらの形が頑なに守られる傾向がある。よって、これら不便な点を解消するために仏壇の形状等を変更することは難しく、変更することに想い到ることすら容易ではない。
【０００３】
伝統的な地域型の仏壇のうち、名古屋仏壇（登録商標）や三河仏壇（登録商標）は、下から枠台、台、本体、天井の４つの部分に分割される仏壇である。枠台および台は、仏壇本体を一定高さに保ってお参りしやすくすると同時に、収納スペースとして重宝される部分である。特別に大きな仏壇を除いて、台には「三つまくり」と言われる形式の収納が設けられることがほとんどである。「三つまくり」とは、まくり戸が横に３枚並び、この３枚のまくり戸それぞれの後方内部には、棚や引き出しといった収納スペースが設けられるものである。
【０００４】
本来、仏壇にお参りする際に使用されるお鈴やロウソクは、仏壇の中のスペースに置くものであった。しかし、ロウソクは仏壇内部が煤けてしまい、また防火の観点からも仏壇内部にて灯すことは好ましくないものである。そもそも、近年主流の比較的小型の仏壇の内部においては、これらの仏具を使用状態に載置するスペースの確保が困難である。よって、これらの仏具は経机に置かれるものとなってきた。経机は、お参りする際に仏壇の前に設置して、お鈴や鈴台等の仏具を載置して使用するものである。ここにおいても、近年の仏間の縮小に伴い、経机を置くスペースを設けることができない場合もしばしばある。このため、仏壇には、経机またはこれに代わる載置板等を収納する機構を備えた特許文献が散見される。
【０００５】
特許文献１に記載の発明は、仏具を陳列したまま収納可能な膳引きを備える仏壇である。
【０００６】
特許文献２および特許文献３に記載の発明は、室内スペースに応じた設置を可能とする仏壇である。これは、種々の形状の板状部材や回動手段を備えるものである。
【０００７】
特許文献４に記載の発明は、別体の経机に係合する形状とした収納スペースを設けた仏壇の下台である。
【０００８】
特許文献５に記載の発明は、台座部に金庫を設けた仏壇である。
【先行技術文献】
【特許文献】
【０００９】
【特許文献１】特開２００２−８５２５０号公報
【特許文献２】特開２００４−３０５５０７号公報
【特許文献３】特開平７−１８４７６４号公報
【特許文献４】実用新案登録第３０３３７３２号公報
【特許文献５】実用新案登録第３１１０７９８号公報
【考案の概要】
【考案が解決しようとする課題】
【００１０】
伝統的な仏壇においては、仏壇の小型化に伴う機能性の変化が問題となっている。例えば、２尺８寸ないし３尺７寸程の幅を持つ従来の大型仏壇ならば台の収納部分が十分な収納スペースとして機能していたが、近年主流の２尺ないし２尺７寸程度の小型仏壇においては台の収納部分が収納スペースとしてほとんど機能しないものとなっている。構造の仕切り板等の厚みは、仏壇の大きさによってもあまり変わらないため、この傾向は小型の仏壇ほど顕著である。より具体的には、大型の仏壇では引出しや棚が収納スペースとして機能していたが、形をそのままにして大きさだけ小さくしたため、仏壇にお参りするときに必要な仏具等を収納できず、実用上役に立たない引出しや棚となってしまっていることが挙げられる。
【００１１】
名古屋仏壇や三河仏壇の仏壇においては、台における収納の実用性の低下が顕著である。三つまくりとして台を幅方向が３分割されることから、個別の収納幅の減少がより顕著となってしまうからである。従来の三つまくりを有する仏壇における、まくり戸の後方の台の内部は、例えば、中央のまくり戸の後方が１段の引出しで、左右のまくり戸の後方が２段の引出しとなっている。ここにおいては、幅方向のみでなく高さ方向の空間が不足することも問題である。これらの問題点は、伝統的な地域性の強い仏壇は伝統を守る必要があるという要請から、解決が容易でないものである。
【００１２】
特許文献１ないし特許文献３に記載の発明は、仏間スペースの減少に対応して、収納スペースを確保したり、仏事に適応したりするものであるが、これらの機能構造は家具調仏壇と言われるようなモダンな造りの仏壇に適用できても、伝統的な型を守る仏壇においては、到底採り入れることのできないものである。
【００１３】
特許文献４に記載の発明は、三つまくりの台を有するものであって、外観の変化等の問題はないが、収納スペースの大きさの問題を解決するものではない。
【００１４】
本考案は、上記背景における上記課題に鑑み、名古屋仏壇や三河仏壇またはこれらに準じた構成を持つ仏壇において、実用性を向上させつつ、伝統的な外観、構成、使用態様等を大きく崩すことのない台を提供することを課題とする。
【課題を解決するための手段】
【００１５】
上記の課題に鑑み、本考案は、
大まくり戸および小まくり戸により前面が構成される台を備え、
前記大まくり戸の前面が２枚のまくり戸の外観を呈し、
前記台の内部における前記大まくり戸の後方には、該大まくり戸の幅に対応した寸法に設定された引出し体を設け、
該引出し体には、前方に略板状の膳引き部と、後方に物入れ箱とを備え、
前記引出し体が、前記膳引き部にお鈴、鈴台、ロウソク立て、香炉を載置し、これらを使用状態に保ったまま引き出し可能な寸法に設定されたことを特徴とする仏壇である。
【００１６】
まくり戸とは、垂直に設けられる戸板であって、上方を軸として手前側に回転させた後、まくり戸を上部空間に押し込んで収納して、まくり戸後方の内部を開放させる回転扉である。
【００１７】
台が備えるまくり戸は大まくり戸と小まくり戸である。この２枚のまくり戸のうち大まくり戸が、２枚のまくり戸が横に並んだ外観を有することにより、台の前面は３枚のまくり戸からなる外観を呈することとなる。大まくり戸は、従来の２枚分のまくり戸とともに、従来まくり戸の間に縦に設けられていた枠部材の外観を備えることにより、２枚のまくり戸が横に並んだ外観を有することとなる。小まくり戸は外観も１枚である一般的なまくり戸である。
【００１８】
膳引き部とは、仏具等を載置するための略平板であって、使用に応じて引き出しまたは収容自在に仏壇に備えられるものをいう。ここでは特に台に備えられるものである。膳引き部には、上面の外周に仏具の滑落防止のための壁を設けることが好ましい。
【００１９】
お鈴、鈴台、ロウソク立て、香炉とは、本考案の膳引き部がこれらを載置可能な面積を持つ寸法であることを示すためのものに過ぎない。よって、必ずしもこれらは載置するべきものでなく、また、これら以外のものの載置、収納を妨げるものでもない。また、お鈴、鈴台、ロウソク立て、香炉は、家庭で使用される一般的な大きさのものを対象とする。
【００２０】
膳引き部の上面の寸法は仏壇全体の大きさに合わせておよそ決定されるが、２尺幅程度の小さな仏壇であっても、一定程度の面積を確保する必要がある。膳引き部の上面の幅は、好ましくは２５０ｍｍ〜８５０ｍｍであり、より好ましくは３００ｍｍ〜７００ｍｍであり、最も好ましくは３５０ｍｍ〜６００ｍｍである。膳引き部の上面の奥行き寸法は、好ましくは２００ｍｍ〜５００ｍｍであり、より好ましくは２３０ｍｍ〜４００ｍｍであり、最も好ましくは２５０ｍｍ〜３００ｍｍである。奥行き寸法については、大きすぎると、仏具を載置した際に安定を欠くおそれがあるため、大きすぎても適さないものである。小さな仏壇であっても、本考案の構成に十分な膳引き部の上面の奥行き寸法の確保は比較的容易であるため、引出し体の奥行き寸法を台の奥行き寸法に対応させたものより小さく設定してもよい。しかし、膳引き部の上面の幅寸法については、まくり戸の幅の比率を調節する等の配慮が必要となることもある。
【００２１】
お鈴、鈴台、ロウソク立て、香炉の使用状態とは、仏事等によって仏壇にお参りをするときに、お鈴、鈴台、ロウソク立て、香炉を使用するときの状態をいう。
【００２２】
これらを使用状態に保ったまま引き出し可能な寸法とは、使用状態に載置されたお鈴、鈴台、ロウソク立て、香炉をそのままにして、開けたり閉めたりできる程度に前記膳引き部上方に高さ空間が確保される前記引出し体および前記台の前面開口部の寸法をいう。膳引き部上面から前記台の前面開口部までの高さは、好ましくは２５０ｍｍ〜４５０ｍｍであり、より好ましくは２８０ｍｍ〜４００ｍｍであり、最も好ましくは３００ｍｍ〜３５０ｍｍである。
【００２３】
台の下方に位置する枠台の高さを通常よりも低くすることとして好ましい。これにより、前記引出し体の高さを確保することができる。
【００２４】
前記収納箱には重りを入れて、この上に前記収納箱としての底板を設けることが好ましい。これにより、お鈴、鈴台、ロウソク立て、香炉を載置した前記膳引き部を引き出した状態の安定化を図ることができる。
【００２５】
本考案は、比較的小型である２尺ないし２尺７寸程度の幅の仏壇に対して好適であるが、これら以外の大きさの仏壇に対しても適用可能である。
【００２６】
また、本考案は、枠台、台、本体、天井からなる名古屋仏壇または三河仏壇に利用するものである。その他、これらに類した仏壇、例えば名古屋型または三河型などといった、台を備える仏壇にも利用できるものである。
【考案の効果】
【００２７】
本考案によれば、伝統的な型により製作される仏壇においても、実用性を向上させることができる。具体的には、伝統的な三つまくりの外観を呈しつつも、収納として十分なスペースを確保し、仏具を収納することができる。膳引き部への載置を収納方法としているため、そのまま載置した仏具を使用することができる。お鈴、鈴台、ロウソク立て、香炉を載置するための経机を別途用意する必要もなく、現代の一般的な住宅における空間上の制約に適うものである。また、膳引き部上面から引出し体の扉口までの高さを一定程度確保することにより、載置した仏具を使用状態のまま収納することができる。この構成は便利である上に、仏具が引出し体の扉口上部に接触して転倒することを防ぐことができて安全である。
【図面の簡単な説明】
【００２８】
【図１】本考案実施例の仏壇の正面図である。
【図２】本考案実施例の台の正面図である。（ａ）は大まくり戸を閉じた状態の図である。（ｂ）は大まくり戸を開く途中の段階の図である。（ｃ）は大まくり戸を開いて収納した状態の図である。
【図３】同台の図２のＡ−Ａ線における断面図である。（ａ）ないし（ｃ）の各図は図２におけるものと対応したものである。各図において、引出し体、小まくり戸および台の左側面の描線は省略している。
【図４】（ａ）は同台のまくり戸を閉じた状態の右側面図である。（ｂ）は、同台のまくり戸を開け、引出し体を引出した状態の右側面図である。ともに仏具を載置した状態の図である。背の高いお鈴とロウソクのみ図示している。
【図５】本考案実施例の引出し体の平面図である。仏具を載置した状態の図である。
【図６】（ａ）は同引出し体の右側面図である。（ｂ）は図５におけるＢ−Ｂ線における断面図である。
【考案を実施するための形態】
【００２９】
本考案の実施に係る例を図に示して以下に説明する。なお、図はすべて本考案の一実施例のものであり、以下に説明する詳細は、実用新案登録請求の範囲に記載された本考案の内容を限定するものではない。また、以下に説明される構成の全てが、本考案の必須要件であるとは限らない。
【００３０】
本考案の実施例による仏壇１を示す図１を参照する。仏壇１は、枠台２、台３、本体４、天井５からなる。これらは分割可能に組み立てられるものであり、名古屋仏壇や三河仏壇に典型的に見られるものである。本考案はこの中でも特に台３に係るものである。
【００３１】
図２および図３を参照して述べる。台３は、箱体３０と、大まくり戸３１と、小まくり戸３２と、引出し体３３と、を備える。以下、各々について説明する。
【００３２】
箱体３０は前面が開口した箱体である。全面の開口部に大まくり戸３１および小まくり戸３２が設けられ、これらの開閉により内部が開放される。箱体３０の内部空間は仕切り板３４により仕切られる。仕切り板３４は、箱体３０の側板と平行にして、大まくり戸３１および小まくり戸３２の幅に対応した位置に設けられる。大まくり戸３１の後方の台３内部には、箱体３０の平面、底面、右側面、背面と、仕切り板３４と、大まくり戸３１とからなる大収納部３５が形成される。大収納部３５における上方には、まくり戸支持材３６が設けられる。まくり戸支持材３６は、箱体３０の右側面および仕切り板３４に設けられる、一対のレール状部材である。大収納部３５の下方には、引出し案内３７が設けられ、これにより引出し体３３が摺動自在に支持される。なお、大まくり戸３１と同様にして、小まくり戸３２の後方にも収納部が形成され、まくり戸支持材が設けられるが、まくり戸を用いた収納の構成自体は伝統的な慣用技術であるから、図示は省略する。また、小まくり戸３２の後方の収納部の説明についても省略する。
【００３３】
大まくり戸３１は、従来３分割されていたまくり戸のうち、中央のまくり戸と右のまくり戸とを一体的に形成したものである。これに伴い、大まくり戸３１の後方にある台３の内部空間は、従来のまくり戸２枚分の幅を持つ大空間が一体的に形成されている。大まくり戸３１の前面は、中央のまくり戸および右のまくり戸に２分割された外観を持つ。小まくり戸３２と併せることにより、台３が従来の台と同様に３枚のまくり戸を有する外観を呈することとなる。なお、一体的に形成するまくり戸は左右いずれに配置してもよい。
【００３４】
引出し体３３は、大収納部３５に引き出し自在に設けられるものである。引出し体３３は、大まくり戸３１の幅に対応して、大収納部３５の横幅全面にわたるものである。引出し体３３は膳引き部３８と収納箱３９とを備える。
【００３５】
膳引き部３８は略板状の部材からなり、上面に仏具を載置するに十分な平面を有している。この仏具とは、お鈴、鈴台、ロウソク立て、香炉のことであるが、これらに限られない。これらの仏具が滑落しないように、膳引き部３８は、上面の外周に壁部３８ａを設けている（図６（ｂ）参照）。
【００３６】
収納箱３９は、膳引き部３８の後方に設けられる、上部に開放した箱体である。収納箱３９には重り３９ａを入れ、その上に底板３９ｂを設ける。底板３９ｂは重り３９ａの蓋であると同時に収納箱３９の底板でもある。
【００３７】
箱体３０の内部空間および開口部は、膳引き部３８に仏具を使用状態にして載置したままでも引出し体３３を収納できるように、十分な高さを備えるものとする。収納箱３９についても同様に、箱体３０の内部空間および開口部の高さに対応した寸法として、使用状態の仏具の高さよりも高いものとする。ここでいう仏具は家庭に一般的な大きさのものを対象とする。さらには、ロウソク立て等の高さは低めの方が好ましく、ロウソクは短めのものが好ましい。高さ膳引き部３８の上面から箱体３０の内部空間および開口部までの高さ（図４（ａ）の高さＨ）について、十分な高さとは、好ましくは２５０ｍｍ〜４５０ｍｍであり、より好ましくは２８０ｍｍ〜４００ｍｍであり、最も好ましくは３００ｍｍ〜３５０ｍｍである。本考案ではこの高さを３２０ｍｍに設定している。
【００３８】
仏壇の本体の位置が高くなりすぎるとお参りしにくくなってしまうため、台の高さを無制限に設定できるわけではない。よって、台の内部において上述のような高さの空間を確保することが難しい場合がある。そのような場合は、仏壇１を構成する枠台２、台３、本体４、天井５それぞれの高さ比率を若干変更するとよい。ここにおいて、台３の縦寸法を大きくして、その分、枠台２の縦寸法を小さくすることが好適である。これにより本体４の縦寸法および位置高さを保つことができ、仏壇１全体への外観上および実用上の影響を小さくすることができる。本実施例においては、通常製作される伝統的な仏壇の型と比較して、台３の高さを４０ｍｍ高く設定している。
【００３９】
以下、図２ないし図６を参照して本考案の実施例による台３の使用について説明する。
【００４０】
台３は、仏壇にお参りする際に経机の代替として、膳引き部３８に仏具を載置して使用することができる。また、収納箱３９にロウソクや線香などの関連する小物を収納して使用することができる。以下、これらに関する大まくり戸３１および引出し体３３について主に説明する。
【００４１】
大まくり戸３１は、図２および図３に示す手順で開かれる。普段は大まくり戸３１が閉じられた状態である（図２、図３の（ａ）参照）。これを開くには、まず、大まくり戸３１の下方を手前に引き、上方を軸として図３（ｂ）の矢印Ｐの方向に回転させる。大まくり戸３１を水平になるまで回動させた後、図３（ｂ）の矢印Ｑの方向に押し込む（図２、図３の（ｂ）参照）。これにより、大まくり戸３１は、左右一対のまくり戸支持材３６に支持されて、台３内部に収納される（図２、図３の（ｃ）参照）。なお、まくり戸自体は慣用技術のため、詳細な機構の説明は省略する。
【００４２】
大まくり戸３１を開いた後に、引出し体３３を引き出す（図４（ｂ）参照）。膳引き部３８は、お鈴６０、鈴台６１、ロウソク６２、ロウソク立て６３、香炉６４、ロウソク・線香入れ６５などの仏具を載置することができ、経机の代わりとなる。仏壇にお参りした後は、これらの仏具を載置したままの状態で引出し体３３を箱体３０に収納することができる。一方、使用した仏具を収納箱３９に収納することも可能である。その他、収納箱３９には線香やロウソクを収納することとして好適である。
【００４３】
以下、本考案の実施例による効果を述べる。
本考案の実施例により、伝統的な名古屋仏壇または三河仏壇の三つまくりの外観を呈した上で、仏壇の台において実用的な大きさ収納スペースを確保することができる。また引出し体３３を引き出せば、膳引き部３８が経机の代わりとなり、空間を節約することができる。このとき、収納箱３９の底部に重り３９ａを設けることで、引出し体３３を引き出して膳引き部３８に仏具を載置したときにも、引出し体３３を安定させることができる。さらに、台の内部空間において、膳引き部の上面からの高さを一定程度確保しているため、仏具を使用状態で載置したまま引出し体３３を収納可能であり便利である。
【００４４】
本考案の実施の形態は、上記の実施例に何ら限定するものではなく、本考案の技術的思想を逸脱しない範囲において、改変等を加えることができ、それらの改変、均等物等も本考案の技術的範囲に含まれ、該技術的範囲に属する限り種々の形態を採用し得るものである。
【符号の説明】
【００４５】
１・・・仏壇  ２・・・枠台  ３・・・台  
４・・・本体  ５・・・天井  ３０・・・箱体
３１・・・大まくり戸  ３２・・・小まくり戸  ３３・・・引出し体
３４・・・仕切り板  ３５・・・大収納部  ３６・・・まくり戸支持材
３７・・・引出し案内  ３８・・・膳引き部  ３９・・・収納箱  
【図１】
0003159919.tif 000003
【図２】
0003159919.tif 000004
【図３】
0003159919.tif 000005
【図４】
0003159919.tif 000006
【図５】
0003159919.tif 000007
【図６】
0003159919.tif 000008